【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
遠心ブロワーにおいて、
中央軸線を中心として回転するようになったハブ及びこのハブとともに回転するように連結された複数のブレードとを含む遠心ファンと、
駆動端及び反対端を持つモータであって、前記遠心ファンの前記ハブに駆動的に連結された、前記モータの前記駆動端から延びる駆動シャフトを含み、前記モータを冷却するため、前記モータを通って延びるモータ空気流路を含み、前記モータ空気流路は、前記モータの前記反対端の近くに入口を有するモータと、
ハウジング構造とを含み、このハウジング構造は、
前記ファンが実質的に包囲される、入口及び出口を持つ空間を少なくとも部分的に形成するブロワーハウジング部分と、
前記モータを支持するモータハウジング部分と、
前記モータハウジング部分を前記ブロワーハウジング部分上に少なくとも部分的に支持するフランジ部分と、
前記空間と直接連通した入口及び前記モータ空気流の前記入口と連通した出口を含み、上流部分が、前記入口から延び出して、前記モータの前記反対端から前記モータの前記駆動端に向かう方向で軸線方向に延びており、下流部分が、前記モータの前記駆動端から前記モータの前記反対端に向かう方向で軸線方向に延びており、前記下流部分の少なくとも一部が、前記フランジ部分と前記モータハウジング部分とで形成されている、冷却空気経路とを含む、ブロワー。
【請求項２】
請求項１に記載のブロワーにおいて、
前記ハウジング構造の部分の少なくとも１つが、他の部分とは別個に形成されている、ブロワー。
【請求項３】
請求項１に記載のブロワーにおいて、
前記フランジ部分は、更に、前記部分の少なくとも一部とぴったりと近接して間隔が隔てられており且つ向き合った関係にある表面を含む、ブロワー。
【請求項４】
請求項１に記載のブロワーにおいて、
前記モータハウジング部分の少なくとも一部が、前記フランジ部分から間隔が隔てられている、ブロワー。
【請求項５】
請求項４に記載のブロワーにおいて、
前記モータハウジング部分は、一部が、前記フランジ部分と一体の構造によって形成されており、一部が、前記モータの前記反対端に亘って延びる別体のカバーによって形成されている、ブロワー。
【請求項６】
請求項５に記載のブロワーにおいて、
前記冷却空気経路は、前記フランジ部分及び前記別体のカバーによって形成される、ブロワー。
【請求項７】
請求項１に記載のブロワーにおいて、
前記モータ空気流路は、前記モータの前記駆動端の近くに出口を有し、前記フランジ部分及び前記ハブが、その間に軸線方向隙間を形成し、前記ハウジング構造は、更に、前記モータ空気流路の前記出口と前記軸線方向隙間との間を連通する第２冷却空気経路を含む、ブロワー。
【請求項８】
請求項１に記載のブロワーにおいて、
前記モータは所定の軸線方向長さを有し、前記冷却空気経路の前記下流部分は、実質的に前記モータの全長に亘って延びる、ブロワー。
【請求項９】
請求項１に記載のブロワーにおいて、
前記冷却空気経路の前記上流部分は、更に、半径方向内方に延びている、ブロワー。
【請求項１０】
請求項１に記載のブロワーにおいて、
前記ハウジング構造の部分のうちの二つが一体成形されている、ブロワー。
【請求項１１】
請求項１０に記載のブロワーにおいて、
前記フランジ部分及び前記モータハウジング部分の少なくとも一部が一体成形されている、ブロワー。
【請求項１２】
請求項１に記載のブロワーにおいて、
前記冷却空気経路は、前記冷却空気経路入口と隣接した水リザーバを含む、ブロワー。
【請求項１３】
請求項１に記載のブロワーにおいて、
前記冷却空気経路の前記上流部分は、一部が傾斜面によって形成されている、ブロワー。
【請求項１４】
請求項１３に記載のブロワーにおいて、
前記傾斜面は、前記モータハウジング部分に設けられている、ブロワー。
【請求項１５】
請求項１４に記載のブロワーにおいて、
前記モータハウジング部分は、前記フランジ部分と一体の構造によって一部が形成されており、一部が前記モータの前記反対端に亘って延びる別体のカバーによって一部が形成されている、ブロワー。
【請求項１６】
請求項１に記載のブロワーにおいて、
前記冷却空気経路の前記上流部分は、盛り上がったダムを含み、このダムは、前記冷却空気経路での下流への水の流れに抵抗する、ブロワー。
【請求項１７】
請求項１に記載のブロワーにおいて、
前記冷却空気経路の前記上流部分は、前記モータの前記駆動端から前記モータの前記反対端に向かう方向で全体に軸線方向に延びる壁を含み、この壁は、前記冷却空気経路での下流への水の流れに抵抗する、ブロワー。
【請求項１８】
請求項１７に記載のブロワーにおいて、
前記冷却空気経路の前記上流部分は、盛り上がったダムを含み、このダムは、前記冷却空気経路での下流への水の流れに抵抗する、ブロワー。
【請求項１９】
請求項１８に記載のブロワーにおいて、
前記冷却空気経路の上流部分は、一部が傾斜面によって形成されており、前記ダムは、前記傾斜面から上方に延びており、前記壁は、前記傾斜面から間隔が隔てられた所定の点に向かって延びており且つ前記点のところで終端する、ブロワー。
【請求項２０】
請求項１に記載のブロワーにおいて、
前記ハウジング構造は、前記冷却空気経路での水の吸込みを減少するため、前記冷却空気経路の入口に亘って局所的に延びている、ブロワー。
【請求項２１】
請求項１に記載のブロワーにおいて、
前記ハウジング構造は、前記冷却空気経路の前記入口と隣接してエアスクープを形成する、ブロワー。
【請求項２２】
請求項１に記載のブロワーにおいて、
前記ハウジング構造は、前記軸線とほぼ平行に延びる表面を含み、該表面に前記冷却空気経路入口が設けられている、ブロワー。
【請求項２３】
請求項２２に記載のブロワーにおいて、
前記表面は、前記フランジ部分に設けられている、ブロワー。
【請求項２４】
請求項２３に記載のブロワーにおいて、
前記表面は上端及び下端を有し、前記上端は、前記モータの前記反対端から前記モータの前記駆動端に向かう方向で前記下端から間隔が隔てられており、前記冷却空気経路は、前記上端と隣接して配置されている、ブロワー。
【請求項２５】
請求項２３に記載のブロワーにおいて、
前記表面は上端及び下端を有し、前記上端は、前記モータの前記反対端から前記モータの前記駆動端に向かう方向で前記下端から間隔が隔てられており、前記冷却空気経路は、前記上端と隣接して配置されている、ブロワー。
【請求項２６】
請求項１に記載のブロワーにおいて、
前記軸線は全体に垂直方向に延びている、ブロワー。
【請求項２７】
請求項１に記載のブロワーにおいて、
前記冷却空気経路の前記上流部分は、前記冷却空気経路での下流への水の流れに抵抗するラビリンスを含む、ブロワー。
【請求項２８】
請求項１に記載のブロワーにおいて、
前記軸線は垂直であり、前記冷却空気経路の前記上流部分は、前記入口と隣接した低点と、前記上流部分の前記下流端と隣接した高点とを含み、前記低点と前記高点とを結ぶ線は、水平方向に関して約１０°よりも大きい角度を形成する、ブロワー。
【請求項２９】
請求項２８に記載のブロワーにおいて、
前記冷却空気経路の前記上流部分は、前記冷却空気経路での下流への水の流れに抵抗する盛り上がったダムを含み、前記高点は前記ダムによって形成されている、ブロワー。
【請求項３０】
請求項１に記載のブロワーにおいて、
前記軸線は垂直であり、前記冷却空気経路の前記上流部分は、前記入口と隣接した低点と、前記上流部分の前記下流端と隣接した高点とを含み、前記低点と前記高点とを結ぶ線は、水平方向に関して約２５°よりも大きい角度を形成する、ブロワー。
【請求項３１】
請求項１に記載のブロワーにおいて、
前記モータハウジング部分は、前記フランジ部分と一体の構造によって一部が形成されており且つ前記モータの前記反対端に亘って部分的に延びる別体のカバーによって一部が形成されており、前記冷却空気経路は、前記フランジ部分及び前記別体のカバーによって形成されている、ブロワー。
【請求項３２】
請求項３１に記載のブロワーにおいて、
前記フランジ部分は、前記モータを部分的に包囲する円筒形部分を含む、前記カバーは、前記フランジ部分の前記円筒形部分に亘って延びる軸線方向部分を含む、ブロワー。
【請求項３３】
請求項３２に記載のブロワーにおいて、
前記カバーは、前記モータの前記駆動端から前記モータの前記反対端に向かう方向で半径方向外方に及び軸線方向に延びる角度部分を含み、この角度部分は、前記冷却空気経路の上流部分を部分的に形成する、ブロワー。
【請求項３４】
請求項１に記載のブロワーにおいて、
前記モータハウジング部分は前記フランジ部分と一体であり、前記モータの前記反対端に亘って延びるカバーを含み、前記冷却空気経路はフランジ部分によって形成されている、ブロワー。
【請求項３５】
請求項３４に記載のブロワーにおいて、
前記フランジ部分は、前記モータを部分的に取り囲む円筒形部分を含み、前記カバーは、前記円筒形部分と一体成形されており、前記カバーが前記円筒形部分に対して開放位置と閉鎖位置との間で移動自在であるように、一体ヒンジによって前記円筒形部分に連結されている、ブロワー。
【請求項３６】
請求項３７に記載のブロワーにおいて、
前記カバーは、このカバーが閉鎖位置にあるとき、前記フランジ部分の前記円筒形部分に亘って延びる軸線方向部分を含む、ブロワー。
【請求項３７】
請求項３６に記載のブロワーにおいて、
前記カバーは、更に、前記カバーが閉鎖位置にあるとき、前記モータの前記駆動端から前記モータの前記反対端に向かう方向で半径方向外方に及び軸線方向に延びる角度部分を含み、この角度部分は、前記冷却空気経路の前記上流部分を部分的に形成する、ブロワー。
【請求項３８】
遠心ブロワーを車輛に取り付ける方法において、
遠心ブロワーを提供する工程であって、該遠心ブロワーは、
中央軸線を中心として回転するようになったハブと、このハブとともに回転するように連結された複数のブレードとを含む遠心ファンと、
駆動端及び反対端を持つモータであって、前記遠心ファンの前記ハブに駆動的に連結された、前記モータの前記駆動端から延びる駆動シャフトを含み、前記モータは、前記モータを冷却するため、前記モータを通って延びる空気流路を含み、この空気流路は、前記モータの前記反対端の近くに入口を有する、モータと、
ハウジング構造とを含み、このハウジング構造は、
前記ファンが実質的に包囲される、入口及び出口を持つ空間を少なくとも部分的に形成するブロワーハウジング部分と、
前記モータを支持するモータハウジング部分と、
前記モータハウジング部分を前記ブロワーハウジング部分上に少なくとも部分的に支持するフランジ部分と、
前記空間と連通した入口及び前記モータ空気流の前記入口と連通した出口を含み、上流部分が、前記モータの前記反対端から前記モータの前記駆動端に向かう方向で軸線方向に延びており、下流部分が、前記モータの前記駆動端から前記モータの前記反対端に向かう方向で軸線方向に延びている、冷却空気経路とを含む、工程と、
前記中央軸線が垂直方向にも水平方向にも延びないように、及び前記冷却空気経路の前記入口が前記軸線の実質的に真下にあるように前記ブロワーを車輛に取り付ける工程とを含む、方法。
【請求項３９】
請求項３８に記載の方法において、
前記軸線は垂直平面を有し、前記冷却空気経路の前記入口は、前記軸線を含む第２平面内に配置されており、前記第２平面と前記垂直平面との間の角度は、約１５°よりも小さい、方法。
【請求項４０】
請求項３９に記載の方法において、
前記冷却空気経路の前記入口は、前記垂直平面内に配置されている、方法。